(57)【要約】      （修正有）【課題】細胞及び細胞外構造を含む試料の高分解能二次元画像の生成方法を提供する。【解決手段】ある特定の実施形態では、本方法は、試料を少なくとも１つの質量タグで標識することで、標識試料を生成することと、試料を二次イオン質量分析計（ＳＩＭＳ）イオンビームで走査して、試料の領域にわたって質量タグの存在量を空間的にアドレス可能な測定値を含むデータセットを生成することと、データセットを出力することとを含む。多くの実施形態では、データセットは、質量タグの識別及び存在量を含む。本方法を行うシステムも提供する。【選択図】図１
2019215349.tif 000002
【特許請求の範囲】
【請求項１】
細胞を含む試料の高分解能二次元画像の生成方法であって、
各々の元素質量タグが異なる金属元素に対応している複数の区別可能な元素質量タグを用いて試料を標識することで、１つまたは複数の無傷の生物学的特徴が前記１つまたは複数の元素質量タグに結合されている標識試料を生成することと、
一次イオンビームを用いて前記試料にわたって複数の位置を走査して、前記複数の位置の１つまたは複数で一次イオンビームを照射して前記異なる金属元素の一または複数の二次イオンを生成することと、
前記複数の位置の各々で、前記異なる金属元素の１つまたは複数の二次イオンについて存在量の情報を測定することと、
測定された存在量の情報に基づいて、試料の少なくとも１つの位置の画像を出力することと、
を含む、方法。
【請求項２】
前記試料を標識することが、１つまたは複数の抗体を試料に結合させることを含み、１つまたは複数の抗体の各々が前記質量タグの１つに結合している、請求項１に記載の方法。
【請求項３】
前記標識することが、前記元素質量タグを動物対象に投与し、前記対象から前記試料を得ることによって行われる、請求項１または２に記載の方法。
【請求項４】
前記試料が、ホルマリン固定パラフィン包埋（ＦＦＰＥ）切片である、請求項１〜３のいずれか１項に記載の方法。
【請求項５】
前記異なる金属元素の各々が、２１〜９２の範囲の原子番号を有する、請求項１〜４のいずれか１項に記載の方法。
【請求項６】
前記異なる金属元素の各々がランタニド元素である、請求項５に記載の方法。
【請求項７】
前記画像が、少なくとも５００ｎｍの分解能を有する、請求項１に記載の方法。
【請求項８】
個別細胞の境界、および必要に応じて、個別細胞の細胞内特徴を前記画像内で規定することをさらに含む、請求項１に記載の方法。
【請求項９】
前記画像内の前記個別細胞の各々および／または細胞内特徴に対応する、前記測定された存在量の情報を統合することをさらに含む、請求項８に記載の方法。
【請求項１０】
前記個別細胞の各々および／または細胞内特徴についての前記統合された測定存在量の情報に基づいて、前記個別細胞をカテゴリー分けすることをさらに含む、請求項９に記載の方法。
【請求項１１】
前記画像を表示することをさらに含み、前記個別細胞が、それらのカテゴリーによって色分けされる、請求項１０に記載の方法。
【請求項１２】
前記画像のいずれか１つのピクセルにおいて、前記ピクセルの強度が、そのピクセルに対応する試料場所での前記異なる金属元素の１つまたは複数の二次イオンの少なくとも１つの統合された存在量と相関する、請求項１１に記載の方法。
【請求項１３】
前記試料を導電性基板にマウントする、請求項１〜１２のいずれか１項に記載の方法。
【請求項１４】
一次イオンビームを用いて前記試料にわたって複数の位置を走査することが、前記一次イオンビームを前記試料の上にラスタライズすることを含む、請求項１〜１３のいずれか１項に記載の方法。
【請求項１５】
細胞を含む試料を分析するためのシステムであって、
ａ）試料ホルダを含む二次イオン質量分析法（ＳＩＭＳ）システムであって、
各々の元素質量タグが異なる金属元素に対応している複数の区別可能な元素質量タグを用いて標識された試料を受信し、その結果標識された試料が、前記１つまたは複数の元素質量タグに結合されている無傷の生物学的特徴の１つまたは複数を含み、
一次イオンビームを用いて前記試料にわたって複数の位置を走査して、前記複数の位置の１つまたは複数で一次イオンビームを照射して前記異なる金属元素の一または複数の二次イオンを生成し、
前記複数の位置の各々で、前記異なる金属元素の１つまたは複数の二次イオンについて存在量の情報を測定するように構成されるシステム、および
ｂ）測定された存在量の情報に基づいて、試料の画像を生成する処理装置
を具備する、システム。
【請求項１６】
前記処理装置が、個別細胞の境界、および必要に応じて、個別細胞の細胞内特徴を前記画像内で規定するように構成されている、請求項１５に記載のシステム。
【請求項１７】
前記処理装置が、前記画像内の前記個別細胞の各々および／または細胞内特徴に対応する、前記測定された存在量の情報を統合するように構成されている、請求項１６に記載のシステム。
【請求項１８】
前記処理装置が、前記細胞の各々についての統合された測定存在量の情報に基づいて、前記個別細胞をカテゴリー分けするように構成されている、請求項１７に記載のシステム。
【請求項１９】
前記処理装置が、前記画像を生成し、前記個別細胞が、その画像においてそれらのカテゴリーによって色分けされるように構成されている、請求項１８に記載のシステム。
【請求項２０】
前記画像のいずれか１つのピクセルにおいて、前記ピクセルの強度が、そのピクセルに対応する試料場所での前記異なる金属元素の１つまたは複数の二次イオンの少なくとも１つの統合された存在量と相関する、請求項１９に記載のシステム。
【発明の詳細な説明】
【技術分野】
【０００１】
関連出願の相互参照
本願は、２０１３年９月１３日に出願された米国仮特許出願第６１／８７７，７３３号、及び２０１４年３月２６日に出願された米国仮特許出願第６１／９７０，８０３号の利益を主張するものであり、これらの出願は、参照によりその全体が本明細書に組み込まれる。
【０００２】
政府の権利
本発明は、アメリカ国立衛生研究所により与えられた契約番号ＣＡ０３４２３３、ＡＩ０５７２２９、ＣＡ１３０８２６、ＥＹ０１８２２８、ＨＨＳＮ２７２２００７０００３８Ｃ、１Ｋ９９  ＧＭ１０４１４８−０１の下での政府支援に基づいてなされたものである。米国政府は、本発明に一定の権利を有するものである。
【背景技術】
【０００３】
抗体は、生細菌を注入したマウスからの臓器生検中の肺炎球菌抗原を視覚化するために１９４２年に組織切片分析に初めて用いられた。その時以来、免疫組織化学（ＩＨＣ）は、臨床診断や、組織切片中の１つまたは２つ（まれにそれ以上）の抗原の空間分布を評価するために主として用いられる基礎研究の中心になっている。多くの抗体が高特異性であるにもかかわらず、ほとんどの抗原の濃度は、信号増幅をしない従来のアッセイによって検出するには不十分である。信号増幅は、通常、一次抗体のＦｃ部分に結合する多価の酵素結合二次抗体を用いて達成される。明視野顕微鏡法では、最も一般的に用いられている酵素レポーターは西洋ワサビペルオキシダーゼであり、通常、３，３’−ジアミノベンジジン（ＤＡＢ）の酸化に用いられ、茶色の沈殿物の蓄積が得られる。それでもまだ、二次抗体の使用は、非線形染色に起因する一次抗原濃度との相関性が乏しいことと相まって、信頼性の高い多重化及び定量には限界がある。
【０００４】
複数の抗原の同時検出は、ヒト臨床試験及び臨床診断における予測バイオマーカー開発のためには既存のＩＨＣベース分析の利用を制限するさらなる制約に直面しうる。４つの抗原の比色検出が複数の酵素結合二次抗体を用いて報告されているが、実際には、このアプローチは、試料調製及びイメージングで遭遇する困難により通常は２つに限定される。蛍光標識は、より高い信号対雑音比を提供することができ、複数の分子標的の同時検出のために、より頻繁に用いられる。実務上では、異なる宿主動物種で生成される一次抗体が必要であることや、重なり合わないレポーター発光スペクトルが必要であることなどの制限がある。したがって、この従来のＩＨＣ手法は、分子レベルでの組織微細構造と発現の関係を理解するのに必要な、多重化された定量的データを安定して生成する一助とならない。
【発明の概要】
【０００５】
細胞及び細胞外構造を含む試料の高分解能二次元画像の生成方法を提供する。ある特定の実施形態では、本方法は、試料を少なくとも１つの質量タグで標識することで、標識試料を生成することと、試料を二次イオン質量分析計（ＳＩＭＳ）イオンビームで走査して、試料の領域にわたって質量タグの存在量を空間的にアドレス可能な測定値を含むデータセットを生成することと、データセットを出力することとを含む。多くの実施形態では、データセットは、質量タグの識別及び存在量を含む。
【０００６】
試料は、種々の異なる方法で少なくとも１つの質量タグにより標識してもよい。例えば、質量タグは、組織化学的染料によりなってもよいし、あるいは捕捉剤、例えば、抗体に結合していてもよい。他の場合では、試料には、生きている間に質量タグが供されていてもよく、質量タグは、代謝によって試料中の他の分子に組み込まれていてもよい。
【０００７】
ある特定の実施形態では、標識するステップには、試料を、各々が異なる質量タグを含む少なくとも２つの異なる特異的結合試薬に接触させることを伴ってもよい。これらの実施形態では、試料を走査して、試料の領域にわたって質量タグの各々の存在量を空間的にアドレス可能な測定値を含むデータセットを生成してもよい。
【０００８】
特定の実施形態では、標識することは、特異的結合試薬、例えば、質量タグとして機能するキレート原子を含む抗体を用いて行ってもよく、この作製方法は公知である。いくつかの実施形態では、質量タグは、１２〜２３８の原子質量単位、例えば、Ｃ、Ｏ、Ｎ、及びＦ付加物を含む２１〜２３８の原子質量単位の範囲で質量を有してもよい。いくつかの実施形態では、質量タグは、２１〜９０の範囲で原子番号を有する元素、例えば、２１〜２９、３９〜４７、５７〜７９または８９の原子番号を有する元素の原子であってもよい。場合によっては、元素はランタニドである。
【０００９】
場合によっては、本方法は、データセットから試料の画像を構築することを含んでいてもよい。いくつかの実施形態では、画像の分解能は、最大で１ｎｍ、５ｎｍ、例えば、最大で１０ｎｍ、最大で５０ｎｍ、最大で１００ｎｍ、最大で５００ｎｍ、または最大で５０００ｎｍであってもよい。
【００１０】
いくつかの実施形態では、本方法は、画像を分割することで、画像内の個別細胞の境界（かつ、必要に応じて、個別細胞の細胞内特徴または対象となる他の特徴）を規定することをさらに含んでいてもよく、この方法は公知である。これらの実施形態では、本方法は、画像内の各個別細胞またはその細胞内特徴に対応するデータを統合することをさらに含んでいてもよく、これにより、細胞を全体として記述する一連の値（各々は、個別の質量タグに対応する）がもたらされ得る。本方法のこの実施形態は、細胞の各々について得られた統合データに基づいて、個別細胞を（例えば、細胞型または正常または異常などに）カテゴリー分けすることをさらに含んでいてもよい。これらの実施形態では、本方法は、組織試料の画像を表示することをさらに含んでいてもよく、細胞は、それらのカテゴリーによって色分けされる（即ち、第１のカテゴリーの細胞は第１の色で示され、第２のカテゴリーの細胞は第２の色で示され、第３のカテゴリーの細胞は第３の色で示される等）。場合によっては、画像のいずれか１つのピクセルにおいて、ピクセルの色の強度は、走査によって得られたそのピクセルについて得られた信号の統合された大きさと相関していてもよい。
【００１１】
いくつかの実施形態では、組織試料は導電性基板にマウントされ、走査はイオンビームを試料にわたってラスタライズすることで行われる。本方法は、植物、動物、及び微生物（例えば、細菌、細胞）を含む切片からのものを含む任意の適切な試料で行なうことができる。特定の実施形態では、試料は、例えば、２〜２０ミクロン（例えば、３〜１２ミクロン）の範囲で厚さを有する組織切片、例えば、ホルマリン固定パラフィン包埋（ＦＦＰＥ）切片であってもよい。
【００１２】
試料を分析するシステムも提供する。このシステムは、ａ）試料を含む基板を保持するホルダを含む二次イオン質量分析法（ＳＩＭＳ）システムであって、（ｉ）試料をＳＩＭＳイオンビームで走査し、試料に結合されている特異的結合試薬の存在量の測定値を含むデータセットを生成し、（ｉｉ）データセットを出力するように構成されるシステム、及び、ｂ）データセットを処理して試料の画像を生成する画像分析モジュールを含むコンピュータを具備していてもよい。ホルダは、走査しやすくするために少なくとも（試料の平面内である）ｘ及びｙ方向に制御可能に移動する（例えば、段付けされるかまたは連続的に移動する）ことが可能な可動ステージ内にある。画像分析モジュールは、上述の方法の多くのステップを行うようにプログラム化することができる。例えば、いくつかの実施形態では、画像分析モジュールは、画像を分割して、個別細胞の境界、必要に応じて、個別細胞の細胞内特徴を画像内で識別してもよい。場合によっては、画像分析モジュールは、画像内の個別細胞の各々またはその細胞内特徴のデータを統合し、必要に応じて、細胞の各々について得られた統合データに基づいて、個別細胞をカテゴリー分けしてもよい。画像分析モジュールは、試料の画像を表示してもよく、ここで細胞は、それらのカテゴリーによって色分けされる。上述のように、画像のいずれか１つのピクセルにおいて、ピクセルの色の強度は、ＳＩＭＳシステムによって得られたそのピクセルについて得られた信号の大きさと相関している。
【００１３】
以下の詳細な説明のある特定の態様は、添付の図面とともに読むことで最良に理解される。一般的な慣行に従い、図面の種々の特徴は、原寸に比例しないことが強調される。それとは逆に、種々の特徴の大きさは、明確にするために、任意に拡大または縮小される。図面に含まれるのは、以下の図である。
【図面の簡単な説明】
【００１４】
【図１】多重化イオンビームイメージング（ＭＩＢＩ）のワークフロー概要である。ＦＦＰＥ組織または細胞懸濁液などの生物標本を、インジウムスズ酸化物被覆ガラスまたはシリコンウェーハなどの導電性基板上に固定化する。次に、試料を、特有の遷移元素同位体レポーターに結合させた抗体で染色し、乾燥させ、ＭＩＢＩ分析用に真空下で装填する。試料表面は、試料表面に対してネイティブな抗体特異的同位体レポーターを二次イオンとしてスパッタする一次イオンビーム（Ｏ−）でラスタライズする。元素質量スペクトルをピクセルごとに取得する。各細胞の核分画及び細胞質分画を画定する対象領域を統合し、表にし、カテゴリー分けする。偽色したカテゴリー特徴及び定量的な三色オーバーレイからなる合成画像を構築して、多次元発現データをまとめる。
【図２】マスサイトメトリー及びＭＩＢＩを用いて金属を結合した抗体で染色したＰＢＭＣの分析である。（Ａ）７つの抗体で染色したＰＢＭＣをシリコンウェーハ上に固定化し、ＭＩＢＩを用いて画像形成した。対象となる単一細胞領域を、ＣＤ４５表面発現を用いて分割し、抗体ごとに統合した。（Ｂ、Ｃ）得られたデータの階層的ゲーティングにより、マスサイトメトリーによって分かったものと比較して７つの細胞集団の比較可能な値が得られた。（Ｄ）各細胞集団の相対存在量のピアソン相関により、２つの方法間で強力な一致が実証された（ｒ＝０．９８、ｐ＜０．０００１、両側ｔ検定）。
【図３】ＭＩＢＩを用いたヒト乳房腫瘍の１０色のイメージングである。（Ａ）一次抗体の親和性は、金属の結合の影響を受けない。抗体親和性に対する金属の結合の効果を評価するため、単一のヒト乳房腫瘍からの連続切片の免疫ペルオキシダーゼ染料を、Ｋｉ６７またはＥＲ−アルファに対する金属を結合した一次抗体または未修飾一次抗体で染色した。同様な強度の陽性染色核が、金属を結合したまたは未修飾一次抗体を用いた場合に同様の数で存在していた。（Ｂ）ＭＩＢＩデータの視覚表示である。単一チャネルイオンデータは、カラーマッピングし、合成して、従来の免疫ペルオキシダーゼまたは免疫蛍光染色にそれぞれ似ている疑似明視野画像または疑似暗視野画像を構築することができる。（Ｃ）ヒト乳房腫瘍の１０色イメージングである。３人の異なる患者からのＦＦＰＥ組織切片を、ＭＩＢＩを用いて分析した。ＨＥＲ２、ＥＲ、及びＰＲは、各標本の公知の免疫表現型に対して適切に発現する。ＥＲ、ＰＲ、及びＫｉ６７は、境界の明瞭な核陽性を示すが、ｅ−カドヘリン、アクチン、ＨＥＲ２、及びケラチン発現は適切に膜性である。
【図４】腫瘍免疫表現型の定量分析である。（Ａ）定量的単一細胞分析では、イオン画像を、核分画及び細胞質分画を画定するＲＯＩに分割する。（Ｂ）従来の２軸散布図を用いて得られたデータの検査により、それぞれの腫瘍の公知の免疫表現型と一致する定量的発現パターンが示される。
【図５】カテゴリー及び定量的着色化を用いた多次元ＭＩＢＩデータの合成表現である。（Ａ）細胞質特徴の定量的着色化である。緑色にコードされたｅ−カドヘリン、赤色にコードされたアクチン、及び青色にコードされたビメンチンチャネルを合成して、タンパク質発現及び共局在化の定量的表現を生成した。（Ｂ）核のカテゴリー着色化である。ＥＲ／ＰＲ／Ｋｉ６７陽性またはＥＲ／ＰＲ陽性核の亜集団を黄色または水色でそれぞれ偽色する。（Ｃ）多次元データは、定量的及びカテゴリー発現パターンを示す合成画像にまとめる。
【００１５】
定義
本明細書で他に断らない限り、本明細書で使用される全ての技術及び科学上の用語は、本発明が属する分野の当業者により通常理解されるものと同様の意味を持つ。本明細書に記載の方法及び材料と同様のまたは同等の方法及び材料を、本発明の実施または試験のために使用することができるが、好ましい方法及び材料が本明細書に記載される。
【００１６】
本明細書で参照される全ての特許及び刊行物は、そのような特許及び刊行物に開示される全ての配列を含み、ここで参照により明確に組み込まれる。
【００１７】
数値範囲は、範囲を規定する数値も含むものとする。特に断らない限り、核酸は左から右ヘ、５’末端から３’末端方向に、アミノ酸配列は左から右ヘ、アミノ基からカルボキシ基への方向で各々記載される。
【００１８】
本明細書に記載の表題は、本発明の種々の態様または実施形態を限定するものではない。したがって、以下に続けて定義する用語は、明細書を全体として参照することによってより完全に規定される。
【００１９】
他に断らない限り、本明細書で使用される全ての技術及び科学上の用語は、本発明が関係する分野の当業者により通常理解されるものと同様の意味を持つ。例えば、Ｓｉｎｇｌｅｔｏｎらの「微生物学及び分子生物学辞典」（Ｄｉｃｔｉｏｎａｒｙ ｏｆ Ｍｉｃｒｏｂｉｏｌｏｇｙ  ａｎｄ  Ｍｏｌｅｃｕｌａｒ Ｂｉｏｌｏｇｙ）第２版、Ｊｏｈｎ Ｗｉｌｅｙ及びＳｏｎｓ，Ｎｅｗ Ｙｏｒｋ（１９９４）；及びＨａｌｅ及びＭａｒｈａｍの「Ｈａｒｐｅｒ Ｃｏｌｌｉｎｓ生物学辞典」（Ｔｈｅ Ｈａｒｐｅｒ Ｃｏｌｌｉｎｓ Ｄｉｃｔｉｏｎａｒｙ ｏｆ Ｂｉｏｌｏｇｙ）， Ｈａｒｐｅｒ Ｐｅｒｅｎｎｉａｌ， ニューヨーク州（１９９１）は当業者に、本明細書で使用される多くの用語についての一般的意味を提供する。さらに、ある特定の用語は、明確化の目的及び参照の容易さのために以下に規定される。
【００２０】
本明細書で用いる場合、「標識化」という用語は、検体の存在及び／または存在量が標識の存在及び／または存在量を評価することで判断することができるように、検出可能な部分を検体に結合させることを指す。「標識化」という用語には、組織染料（この場合、質量タグは染料の一部であってもまたは染料に結合していてもよい）を用いた標識化、並びに質量タグに結合している捕捉剤、例えば、抗体またはオリゴヌクレオチドプローブを用いた標識化が含まれる。代謝されて固定前に試料に組み込まれる質量タグ化合物（例えば、ＩｄＵまたはＢｒｄＵ）を試料に供することで、試料を標識することもできる。
【００２１】
本明細書で用いる場合、「対象とする生物学的特徴」という用語は、抗体への結合によって染色するかまたは示すことができる細胞のいずれの一部をも指す。例えば、染料を、バルク組織（例えば、筋繊維または結合組織を強調表示すること）、細胞集団（例えば、異なる血液細胞をカテゴリー分けすること）、または個別細胞内の細胞小器官を規定し検査するのに用いてもよい。染料は、クラス特異的（ＤＮＡ、タンパク質、脂質、炭水化物）であってもよい。対象とする生物学的特徴の例としては、細胞壁、核、細胞質、膜、ケラチン、筋繊維、コラーゲン、骨、タンパク質、核酸、脂肪などが挙げられる。対象とする生物学的特徴は、免疫組織学的方法によって、例えば、標識に結合した抗体などの捕捉剤を用いて示すこともできる。これらの実施形態では、捕捉剤は、試料中のエピトープ、例えば、タンパク質エピトープに結合する。例示的エピトープとしては、限定的ではないが、がん胎児性抗原（腺がんの同定）、サイトケラチン（がん腫の同定用であるが、いくつかの肉腫でも発現し得る）、ＣＤ１５及びＣＤ３０（ホジキン病）、アルファフェトプロテイン（卵黄嚢腫瘍及び肝細胞がん腫）、ＣＤ１１７（消化管間質腫瘍）、ＣＤ１０（腎細胞がん腫及び急性リンパ性白血病）、前立腺特異的抗原（前立腺がん）、エストロゲン及びプロゲステロン（腫瘍同定）、ＣＤ２０（Ｂ細胞リンパ腫の同定）、及びＣＤ３（Ｔ細胞リンパ腫の同定）が挙げられる。
【００２２】
本明細書で用いる場合、「多重化」という用語は、生物活性物質の同時または逐次検出及び測定のために２つ以上の標識を用いることを指す。
【００２３】
本明細書で用いる場合、「特異的結合試薬」という用語は、細胞中または細胞上の特異的分子標的（例えば、特異的タンパク質、リン脂質、ＤＮＡ分子、またはＲＮＡ分子）における１つ以上の部位に特異的に結合することができる標識試薬を指す。特異的結合試薬としては、例えば、抗体、核酸、及びアプタマーが挙げられる。本明細書で使用される「アプタマー」は、特異的標的分子に特異的に結合する合成オリゴヌクレオチドまたはペプチド分子である。
【００２４】
本明細書で用いる場合、「抗体」及び「免疫グロブリン」という用語は、本明細書中で交換可能に使用され、当業者に十分理解されている。これらの用語は、抗原に特異的に結合する１つ以上のポリペプチドからなるタンパク質を指す。抗体の１つの形態は、抗体の構造の基本単位を構成する。この形態は、四量体であり、２つの同一対の抗体鎖からなり、各対が、１本の軽鎖及び１本の重鎖を有する。各対において、軽鎖及び重鎖可変領域は、一緒に抗原への結合に関与し、定常領域は、抗体のエフェクター機能に関与する。
【００２５】
認識される免疫グロブリンポリペプチドは、カッパ及びラムダ軽鎖、並びにアルファ、ガンマ（ＩｇＧ１、ＩｇＧ２、ＩｇＧ３、ＩｇＧ４）、デルタ、イプシロン及びミュー重鎖または他の種における等価物を含む。完全長免疫グロブリンの「軽鎖」（約２５ｋＤａまたは約２１４アミノ酸）は、ＮＨ２末端に約１１０アミノ酸の可変領域、及びＣＯＯＨ末端にカッパまたはラムダ定常領域を含む。完全長免疫グロブリンの「重鎖」（約５０ｋＤａまたは約４４６アミノ酸）も同様に、可変領域（約１１６アミノ酸）及び上述の重鎖定常領域のうちの１つ、例えば、ガンマ（約３３０アミノ酸）を含む。
【００２６】
「抗体」及び「免疫グロブリン」という用語には、任意のアイソタイプの抗体または免疫グロブリン、限定的ではないが、Ｆａｂ、Ｆｖ、ｓｃＦｖ、及びＦｄ断片を含む抗原への特異的結合を保持する抗体の断片、キメラ抗体、ヒト化抗体、ミニボディ、一本鎖抗体、及び抗体の抗原−結合部分と非抗体タンパク質とを含む融合タンパク質が含まれる。この用語には、Ｆａｂ’、Ｆｖ、Ｆ（ａｂ’）２、及び／または抗原への特異的結合を保持する他の抗体断片、及びモノクローナル抗体も包含される。抗体は、例えば、Ｆｖ、Ｆａｂ、及びＦ（ａｂ’）２と、二機能性（即ち、二重特異性）のハイブリッド抗体（例えば、Ｌａｎｚａｖｅｃｃｈｉａら、Ｅｕｒ． Ｊ． Ｉｍｍｕｎｏｌ． １７， １０５ （１９８７））とを含む種々の他の形態と、１本鎖（例えば、参照により本明細書に取り込まれる、Ｈｕｓｔｏｎら、Ｐｒｏｃ． Ｎａｔｌ． Ａｃａｄ． Ｓｃｉ． Ｕ．Ｓ．Ａ．、８５、５８７９−５８８３（１９８８）及びＢｉｒｄら、Ｓｃｉｅｎｃｅ、２４２、４２３−４２６（１９８８））とで存在する場合がある。（Ｈｏｏｄら、「Ｉｍｍｕｎｏｌｏｇｙ」、Ｂｅｎｊａｍｉｎ、ニューヨーク州、第２版（１９８４）と、Ｈｕｎｋａｐｉｌｌｅｒ及びＨｏｏｄ、Ｎａｔｕｒｅ、３２３、１５−１６（１９８６）とを一般的に参照されたい）。
【００２７】
「特異的結合」用語は、結合試薬が、異なる検体の均一な混合物中に存在する特定の検体に優先的に結合できる能力を指す。ある特定の実施形態では、特異的結合の相互作用は、試料中の望ましい検体と望ましくない検体を、いくつかの実施形態では、約１０〜１００倍以上より大きく（例えば、約１０００または１０，０００倍より大きく）区別する。
【００２８】
ある特定の実施形態では、結合試薬と検体との間の親和性は、それらが捕捉剤／検体複合体に特異的に結合しているとき、１０−６Ｍ未満、１０−７Ｍ未満、１０−８Ｍ未満、１０−９Ｍ未満、１０−９Ｍ未満、１０−１１Ｍ未満、または約１０−１２Ｍ未満、またたそれ未満のＫＤ（解離定数）を特徴とする。
【００２９】
本明細書で用いる場合、「質量タグ付けされた」用語は、特有の質量または質量プロファイルによって識別可能な単一種の安定同位体かまたはその組み合わせのいずれかでタグ付けされる分子を指し、安定同位体の組み合わせは、識別子をもたらす。安定同位体の組み合わせにより、チャネル圧縮及び／またはバーコーディングすることができる。それらの質量によって識別可能な元素の例としては、貴金属及びランタニドが挙げられるが、他の元素を用いてもよい。元素は１つ以上の同位体として存在してもよく、この用語には正及び負金属の同位体も含まれる。「質量タグ付けされた」及び「元素タグ付けされた」という用語は、本明細書中で交換可能に使用してもよい。
【００３０】
本明細書で用いる場合、「質量タグ」という用語は、その質量によって識別可能であり、他の質量タグから区別可能であって、生物活性物質または検体のタグ付けに用いられる任意の元素、例えば、遷移金属、遷移後金属、ハロゲン化物、貴金属またはランタニドの任意の同位体を意味する。質量タグは、分析試料及び対象粒子に存在する原子質量から区別可能な原子質量を有する。「モノアイソトピック」という用語は、タグが単一種の金属同位体（いずれの１つのタグも、同一種の複数の金属原子を含んでもよいが）を含むことを意味する。
【００３１】
本明細書で用いる場合、「ランタニド」という用語は、原子番号５８〜７１を有する任意の元素を意味する。ランタニドは、「希土類金属」とも呼ばれる。
【００３２】
本明細書で用いる場合、「貴金属」という用語は、電気化学ポテンシャルが標準水素電極のポテンシャルよりもはるかに正であり、したがって酸化に抵抗する元素である、いくつかの金属元素のいずれかのことを意味する。例としては、パラジウム、銀、イリジウム、白金、及び金が挙げられる。
【００３３】
本明細書で用いる場合、「元素分析」という用語は、試料の元素の存在及び／または存在量を評価する方法を指す。
【００３４】
「複数」は、少なくとも２つのメンバーを含む。特定の場合において、複数は、少なくとも１０、少なくとも１００、少なくとも１００、少なくとも１０，０００、少なくとも１００，０００、少なくとも１０６、少なくとも１０７、少なくとも１０８、または少なくとも１０９、またはそれ以上のメンバーを有してもよい。
【００３５】
「細胞を含む試料」は、無傷、例えば、固定細胞を含む生物起源の試料である。いくつかの実施形態では、試料は実質的に平面であってもよい。そのような試料の例としては、組織切片、解離細胞を平面上に成膜することで作製される試料、及び細胞シートを平面上に成長させることで作製される試料が挙げられる。
【００３６】
本明細書で用いる場合、「走査」という用語は、実質的に二次元領域がエネルギー源によって照射されるまで、放射源（例えば、レーザー）を表面の上にジグザグ状にするかまたはラスタライズする方法を指す。
【００３７】
本明細書で用いる場合、「空間的にアドレス可能な測定値」という用語は、各々が表面上の特定位置に関連付けられている一連の値を指す。空間的にアドレス可能な測定値は、試料中のある位置にマッピングすることができ、試料の画像の再構築に使用することができる。
【００３８】
本明細書で用いる場合、試料の領域にわたって質量タグの存在量の空間的にアドレス可能な測定値という文脈における、「領域にわたって」という用語は、試料の表面でまたは表面下（例えば、表面近傍の細胞上または細胞内）にある質量タグの測定値を指す。分析した領域の深度は、イオンビームのエネルギーに応じて変動し得る。
【００３９】
本明細書を通して他の用語の定義が記載され得る。
【発明を実施するための形態】
【００４０】
本発明をさらに説明するために、以下の具体的な実施例が記載され、本発明を説明するために提供されるものであり、いかなる形でも本発明の範囲を限定するものと解釈されるべきではないことが理解される。
【００４１】
本明細書に記載の本方法は、二次イオン質量分析計（ＳＩＭＳ）、例えば、静的または動的ＳＩＭＳを用いて空間登録された元素組成を定量することが可能な機器で測定された質量タグ、即ち、細胞及び細胞外構造を含む生物学的試料を標識するためにその質量によって識別可能な安定同位体を用いる。
【００４２】
質量タグは、染料の一部であってもまたは染料に結合していてもよく、あるいは抗体などの捕捉剤に結合していてもよい。ある特定の実施形態では、質量タグは、単一非生物の同位体の１つ以上の原子にキレートした、エチレンジアミン四酢酸（ＥＤＴＡ）またはジエチレントリアミン５酢酸（ＤＴＰＡ）などの金属キレート剤の繰り返し単位からなるキレートポリマーからなっていてもよい。いくつかの実施形態では、質量タグは、サイズが実質的に均一であり、特異的結合試薬の存在量がタグ原子の数に直接比例するようにしてもよい。次いで、タグ付けされた特異的結合試薬は、生物学的試料と接触させ、洗浄し、空間登録を持つ試料中に存在するタグ原子の数を定量化することが可能なＳＩＭＳ機器で測定する。検体の存在量は、検出試薬当たりのタグ原子のモル比から類推してもよい。
【００４３】
上述の方法は、複数の特異的結合試薬（例えば、２個以上の特異的結合試薬、最大で５個の特異的結合試薬、最大で１０個の特異的結合試薬、最大で２０個の特異的結合試薬、最大で５０個の特異的結合試薬、または最大で１００個の特異的結合試薬、またはそれ以上）を用いてアッセイを行うことができるという点で多重化してもよい。各特異的結合試薬は異なる質量タグと結合してもよく、質量タグは二次イオン質量分析法によって互いに区別可能である。あるいはまたはさらに、多重化には、対象となる特異的特徴の染料を用いることを伴ってもよい。
【００４４】
多くの元素は、複数の安定同位体として自然界に存在する。例えば、１５３Ｅｕは、地球上のユーロピウムの５２％を占めており、１５１Ｅｕは、残りの４８％のほとんどを構成しているが、ユーロピウムの不安定な放射性同位体は、１％未満を構成している。多くの安定同位体は、９９％（２Ｎ）、９９．９％（３Ｎ）、９９．９９％（４Ｎ）、９９．９９９％（５Ｎ）、及び９９．９９９９％（６Ｎ）純度を含む純度を変えた粉末または塩調製物として市販されている。いくつかの実施形態では、金属キレート剤タグは、濃縮同位体を用いて合成してもよい。例えば、質量ドットは、１５１Ｅｕ（例えば、酸化ユーロピウム１５１、９９．９９９％純度、Ａｍｅｒｉｃａｎ  Ｅｌｅｍｅｎｔｓ社）を用いて合成してもよい。質量ドットは、米国特許出願公開第２０１２／０１７８１８３Ａｌ号に記載されており、参照により本明細書に組み込まれる。濃縮同位体を用いることで、多重化分析で同時に検出することができる同位体タグの特有の種の数を最大限にする。さらに、対象となる空間的に明確な特徴は、分析をさらに多重化するために同じ金属タグで標識してもよい。そのような空間的に明確な特徴は、１つ以上の他の金属タグとの共局在化に基づいて区別してもよい。例えば、同じ金属タグを用いたＨｅｒ２膜染料及びＥＲ核染料は、ＥＲ染料と共局在化する異なる金属タグを用いるｄｓＤＮＡまたはヒストンＨ３染料に基づいて互いに区別し得る。
【００４５】
質量タグは、染料の一部であってもまたは染料に結合していてもよい。これらの実施形態では、染色は、ファロイジン、ガドジアミド、アクリジンオレンジ、ビスマルクブラウン、カーミン、クーマシーブルー、クレジルバイオレット、クリスタルバイオレット、ＤＡＰＩ、ヘマトキシリン、エオシン、臭化エチジウム、酸性フクシン、ヘマトキシリン、ヘキスト染料、ヨウ素、マラカイトグリーン、メチルグリーン、メチレンブルー、ニュートラルレッド、ナイルブルー、ナイルレッド、四酸化オスミウム（正式名：四酸化オスミウム）、ローダミン、サフラニン、リンタングステン酸、四酸化オスミウム、四酸化ルテニウム、モリブデン酸アンモニウム、ヨウ化カドミウム、カルボジヒドラジド、塩化第二鉄、ヘキサミン、三塩化インジウム、硝酸ランタン、酢酸鉛、クエン酸鉛、硝酸鉛（ＩＩ）、過ヨウ素酸、リンモリブデン酸、フェリシアン化カリウム、フェロシアン化カリウム、ルテニウムレッド、硝酸銀、銀タンパク化合物、塩化金酸ナトリウム、硝酸タリウム、チオセミカルバジド、酢酸ウラニル、硝酸ウラニル、硫酸バナジル、またはその任意の誘導体であってもよい。染料は、対象となる任意の特徴、例えば、タンパク質またはタンパク質のクラス、リン脂質、ＤＮＡ（例えば、ｄｓＤＮＡ、ｓｓＤＮＡ）、ＲＮＡ、細胞小器官（例えば、細胞膜、ミトコンドリア、小胞体、ゴルジ体、核膜など）、細胞の分画（例えば、サイトゾル、核画分など）に特異的であってもよい。染料は、細胞内または細胞外構造のコントラストまたはイメージングを高めてもよい。
【００４６】
ある特定の実施形態では、染料は、生きた対象への投与に適していてもよい。染料は、摂取、注射（例えば、血液循環内）、または局所投与（例えば、手術中）などの任意の適切な手段によって対象に投与してもよい。そのような染料は、対象となる組織、生体構造（例えば、血管、病変）、または細胞型に特異的であってもよい。染料は、グルコース取り込みなどの細胞過程の対象の細胞に組み込んでもよい。そのような染料の例としては、限定的ではないが、ガドリニウム、シスプラチン、ハロゲン化炭水化物（例えば、フッ素化、塩素化、臭素化、ヨウ化された炭水化物）などが挙げられる。イメージング技術（例えば、ＭＲＩ、ＰＥＴスキャン、ＣＴスキャンなど）で用いられる他の注入可能な染料は、質量タグに本質的に関連付けられていない場合、質量タグに結合させ、生きた対象に投与してもよい。本明細書に記載の本方法に使用される試料は、投与後に対象から入手してもよい。
【００４７】
他の実施形態では、以下により詳細に記載されるように、質量タグは、捕捉剤、例えば、試料上のエピトープを認識する抗体に結合していてもよい。多重化アッセイでは、捕捉剤と染料の組み合わせを用いてもよい。
【００４８】
本方法で用いられる質量タグは、分析下で試料中には通常見られない任意の安定同位体であってもよい。これらには、限定的ではないが、遷移金属（例えば、Ｒｈ、Ｉｒ、Ｃｄ、Ａｕ）、遷移後金属（例えば、Ａｌ、Ｇａ、Ｉｎ、Ｔｌ）、半金属（例えば、Ｔｅ、Ｂｉ）、アルカリ金属、ハロゲン、及びアクチニドの高分子量メンバーが含まれるが、他のものも環境によっては使用してもよい。質量タグは、２１〜２３８原子質量単位の範囲で質量を有してもよい。ある特定の実施形態では、ランタニドを用いてもよい。周期表のランタニド系列は１５個の元素を含み、そのうちの１４個（Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ）は、安定同位体を有する。ランタニドは、生物圏での希少性のため容易に使用することができる。１〜２３８ＡＭＵの元素に、１００を超える非生物の安定同位体が存在する。いくつかの実施形態では、タグ付けする同位体には、本明細書に記載の用途に対して安定金属キレート剤タグを形成することができる非ランタニド元素を含んでいてもよい。ＳＩＭＳベースの測定様式では、いくつかのＩＣＰ−ＭＳベースの様式は異なり、元素レポーターは、生物マトリクスにおいて一般的ではない低分子量の遷移元素（例えば、Ａｌ、Ｗ、及びＨｇ）からなってもよい。
【００４９】
ある特定の実施形態における本方法での使用に適している元素としては、限定的ではないが、ランタニド及び貴金属が挙げられる。ある特定の場合において、元素タグは、２１〜９０の原子番号を有してもよい。特定の実施形態では、元素タグは、遷移金属、即ち、以下の原子番号、２１〜２９、３９〜４７、５７〜７９、及び８９を有する元素を含んでもよい。遷移元素には、ランタニド及び貴金属が含まれる。例えば、Ｃｏｔｔｏｎ  ａｎｄ  Ｗｉｌｋｉｎｓｏｎ、１９７２、５２８〜５３０ページを参照されたい。本明細書で使用される元素タグは、体外から提供されない限り、人工で、通常の生物学的試料、例えば、細胞中に存在しない非生物性である。
【００５０】
特定の実施形態では、結合試薬と結合される質量タグは、式：Ｒ−ＭＴであり得、ここで、Ｒは特異的結合試薬上の反応基との結合を形成することができる反応基であり、ＭＴは質量タグである。化合物は、ＲとＭＴの間のスペーサーも含み得る。特定の実施形態では、Ｒは、例えば、スルフヒドリル反応性であるマレイミドまたはハロゲン含有基、アミン反応性であるＮ−ヒドロキシスクシンイミド（ＮＨＳ）カーボネート、またはヒドロキシル反応性であるＮ，Ｎ−ジイソプロピル−２−シアノエチルホスホロアミダイトであってもよい。そのような基は、特異的結合試薬上の他の基、（例えば、抗体のシステインまたは他の残基、またはオリゴヌクレオチドのスルフヒドリル基）と反応する。多くの実施形態では、反応基と質量タグの結合は、選択的に開裂可能ではなく、例えば、光開裂可能ではない。
【００５１】
特定の実施形態では、ＭＴは、例えば、１０〜５００単位のポリマーであってもよく、ポリマーの各単位は、配位遷移金属を含む。ＤＯＴＡ及びＤＴＰＡベースポリキラントを含む、配位基を含有する適切な反応基及びポリマーは、環状無水物法を用いてポリ−Ｌ−リシンバックボーン上に最大で１０５個のＤＴＰＡ残基を結合させ、また２−ピリジルジスルフィドリンカーを用いてモノクローナル抗体（抗ＨＬＡ  ＩｇＧ１）上にポリリシン−ポリ−ＤＴＰＡポリキラントも結合させ、部位特異的マクロ分子当たりで最大で約４２．５個のキラント（ＤＴＰＡ残基）の置換を達成することを記載しているＭａｎａｂｅら（Ｂｉｏｃｈｅｍｉｃａら、Ｂｉｏｐｈｙｓｉｃａ  Ａｃｔａ  ８８３：４６０−４６７（１９８６））；一般式の抗体反応性ランタニドキレート化合物を含む抗体を標識する一般法を記載しているＴｏｒｃｈｉｌｉｎ（米国特許第６２０３７７５号）；タンパク質と結合しているポリリシンバックボーンを含有するＤＯＴＡベースポリキラントを記載する要約書に記載しているＳｉｅｖｉｎｇ（米国特許第５３６４６１４号）を含む種々の刊行物に記載されている。そのような部分のさらなる説明は、例えば、米国公開特許２００８０００３６１６（ポリマーバックボーン元素タグ）、米国特許第６２０３７７５号（タンパク質を標識するキレートポリマー）、米国特許第７２６７９９４号（元素コード親和性タグ）、米国特許第６２７４７１３号（ポリキラント）及び米国特許第５３６４６１３号（大環状キラント部分を含有するポリキラント）、並びに多くの他の特許に記載されている。これらの刊行物は、配位基を含有する反応基及びポリマーのそれらの包括的及び具体的な教示、並びにこのような化合物を作製することができる方法に関して参照により組み込まれる。上に引用した参考文献に記載される方法に加えて、ポリマーベース元素タグの作製方法は、Ｚｈａｎｇら（Ａｇｎｅｗ  Ｃｈｅｍ．Ｉｎｔ．Ｅｄ．Ｅｎｇｌ．２００７  ４６：６１１１−６１１４）にも詳細に記載されている。さらに、金属タグに結合することができる任意のキレート剤を用いることができる。これらには、ＥＤＴＡ、ＥＧＴＡ、及びＨｅｍｅが含まれる。これらのキレート剤は、金属タグの＋１、＋２、＋３、＋４イオンに結合することができる。そのようなタグを結合試薬に結合させる方法は、当業界において周知である。例えば、ＤＶＳ  Ｓｃｉｅｎｃｅｓ社によって製造されるＭＡＸＰＡＲ試薬は、３０モノマーの平均長を持つＤＴＰＡのマレイミド官能化ポリマーである。ＭＡＸＰＡＲプロトコルを用いて、典型的なＩｇＧ抗体を６個または７個のポリマーと結合させることで、抗体当たり平均で２００個のタグ付け同位体原子を結合させることができる。
【００５２】
質量ベースの元素分析を用いる場合、実質的に重複しないで同時に測定することができる２１〜２３８原子質量単位（ａｍｕ）で利用可能な１００個を超える非生物元素同位体質量が存在する。これらの希土類金属は生物単離物中に通常は存在しない、唯一の検出限界は、結合される試薬の感度、及び測定を行う機器の感度である。
【００５３】
特定の実施形態では、上述の方法は、細胞の不均一集団が複数の区別可能に質量タグ付けされた結合試薬（例えば、いくつかの異なる抗体）で標識される多重アッセイで用いることができる。２００個を超える安定同位体を有する８０個超える天然元素があるので、細胞の集団を、各々が異なる質量にタグ付けされる少なくとも５個、少なくとも１０個、少なくとも２０個、少なくとも３０個、少なくとも５０個、または少なくとも１００個、最大で１５０個またはそれ以上の異なる結合試薬（例えば、異なる細胞表面マーカーに結合する）を用いて標識してもよい。細胞の集団を標識した後、上述の方法を用いて分析する。
【００５４】
上述のように、本方法で用いられる特異的結合試薬は、細胞中または細胞上の結合パートナーに特異的に結合することができる任意の種類の分子（例えば、抗体、ペプチド−ＭＨＣ四量体、核酸（例えば、ｓｓＲＮＡまたはｓｓＤＮＡ）、アプタマー、細胞表面レセプターに特異的なリガンドなど）であってもよい。結合パートナーは、タンパク質、核酸、または別の種類の細胞マクロ分子（例えば、炭水化物）であってもよい。結合パートナーは、細胞表面上であってもよく、または細胞外または細胞内（例えば、核、または別の細胞小器官、または細胞質に関連付けられた）であってもよい。
【００５５】
ある特定の態様では、特異的結合試薬は、特異的ＲＮＡ及び／またはＤＮＡ配列にハイブリダイズする核酸に結合されたＭＴであってもよい。ＭＴが結合した核酸は、標準インサイチュハイブリダイゼーション、分枝ＤＮＡプローブ（例えば、Ａｆｆｙｍｅｔｒｉｘにより提供された）を利用するインサイツハイブリダイゼーション、近接ライゲーション（ＰＬＡ）、及びローリングサークル増幅（例えば、Ｏｌｉｎｋ  ｂｉｏｓｃｉｅｎｃｅにより提供された）などの、標的（例えば、ＲＮＡ、ＤＮＡ、タンパク質またはタンパク質複合体）を検出する任意の適切な技術と組み合わせて用いてもよい。インサイチュハイブリダイゼーション技術、例えば、分枝ＤＮＡプローブを用いるものは、Ｍｏ血球発現ａ  Ｂａｋｅｒらに記載されている（Ｎａｔｕｒｅ  Ｍｅｔｈｏｄｓ  ９、７８７−７９０（２０１２））。簡単に言えば、分枝ＤＮＡプローブを用いるインサイチュハイブリダイゼーションは一連のｓｓＤＮＡプローブを利用し、ここで、第１のセットのＤＮＡプローブは、標的ＤＮＡまたはＲＮＡ配列に特異的にハイブリダイズし、第２のセットのＤＮＡプローブは、第１のセットのＤＮＡプローブの一部にハイブリダイズして、したがって単一のＤＮＡまたはＲＮＡ分子に（間接的に）結合することができるＤＮＡプローブの数が拡張される。第３のセットが、第２のセットのＤＮＡプローブに同様の方法で結合するなどである。ＤＮＡプローブの１つ以上のセットを、標的ＤＮＡまたはＲＮＡ分子を標識するために金属タグに結合させてもよい。単一ＲＮＡ分子、ＤＮＡ分子、及びタンパク質複合体の検出を含む近接ライゲーション技術は、参照により本明細書に組み込まれるＷｅｉｂｒｅｃｈｔら（Ｎａｔｕｒｅ  Ｍｅｔｈｏｄｓ  ９、７８７−７９０（２０１２））に記載されている。ローリングサークル増幅は、参照により本明細書に組み込まれるＬａｒｓｓｏｎら（Ｎａｔ．Ｍｅｔｈｏｄｓ  １、２２７−２３２（２００４））に記載されている。簡単に言えば、近接ライゲーションとその後のローリングサークル増幅において、核酸を２本の近接ＲＮＡまたはＤＮＡ鎖にハイブリダイズさせ、その後核酸をライゲートし、増殖して、核酸に相補的な配列の多くのコピーが得られる。したがって、相補配列は、元の近接ＲＮＡまたはＤＮＡ鎖よりも高いコピー数で存在し、（例えば、相補配列にハイブリダイズするＭＴが結合した核酸によって）より簡単に検出することができる。近接ＲＮＡまたはＤＮＡ鎖の各々は、異なる抗体に結合させもよい（例えば、異なる抗体の各々は、タンパク質複合体の異なるタンパク質に特異的であってもよい）。
【００５６】
上記の技術のいずれも、単一分子標的（例えば、個別のＲＮＡ分子、ＤＮＡ分子、タンパク質、またはタンパク質複合体）を分解するのに使用してもよい。単一分子標的は明確に異なる点として分解可能であるので、金属同位体の組み合わせを用いて、分子標的を特異的に標識してもよい。一例では、特異的結合試薬は、核酸であってもよく、金属同位体の特有の組み合わせに結合されていてもよい。別の例では、ＭＴと結合した核酸（例えば、各々は、異なる質量タグに結合）の組み合わせを一緒に用いて、分子標的を金属同位体の特有の組み合わせで標識してもよい。したがって、分子標的が空間的に区別可能であるならば、ｎ個の質量タグを２ｎ個の異なる分子標的を標識するために組み合わせで用いることができる。本明細書に記載の方法を用いて、ある特定の成分（例えば、タンパク質、核酸、または他の分子）の量を決める必要がある細胞を含む生物起源の試料を評価してもよい。いくつかの実施形態では、この分析は、ＳＩＭＳ機器（例えば、Ｃａｍｅｃａ製のＮａｎｏＳＩＭＳ、Ｐｈｙｓｉｃａｌ  Ｅｌｅｃｔｒｏｎｉｃｓ製のＮａｎｏＴＯＦ）を用いて行ってもよい。二次イオン質量分析は、試料表面の化学組成を検出及び局在化を可能にする表面高感度技術である。機器は、微細に集束されたパルス状の一次イオンビームを用いて、試料表面から分子種を脱離し、イオン化することができる。得られた二次イオンを質量分析計に移し、ここで、標準の質量分析器（例えば、飛行時間、磁場型、四重極、イオントラップ、またはその組み合わせ）を用いて、質量分析し、定量する。試料表面から収集した質量スペクトルを表示することで、化学画像を生成する。得られた画像の各ピクセルは、実質的に質量スペクトルを表す。特に、この機器では、「単位分解能」、すなわち１ＡＭＵまたはそれ以上で分離された質量レポーターを区別する能力のみを要する。ＮａｎｏＴＯＦは、ＴＯＦ検出器と同期する低強度のパルス光源を用いる。Ｃａｍｅｃａは、ＤＣ（即ち、連続であって非パルス）ビームを用いる。
【００５７】
高速パルスまたは連続イオンビーム（一次イオン）を高真空で固体試料の表面上に照射すると、表面の成分が、脱離−イオン化現象によって真空中に放出される。生成された正または負に帯電したイオン（二次イオン）を電場によって一方向に焦点を合わせて、遠隔位置で検出を行う。パルス状の一次イオンを固体表面上に照射すると、種々の質量を有する二次イオンが、試料の表面の組成に応じて生成される。二次イオンのうち、より軽い質量を持つイオンは、ＴＯＦ管中で、より重い質量を持つイオンよりも速く飛ぶ。したがって、二次イオンの生成と検出の間の時間（飛行時間）を測定することで、生成された二次イオンの質量を分析することができる。一次イオンを照射すると、固体試料の最表面で生成された二次イオンのみが真空中に放出され、その結果、試料の最表面（例えば、深度１ｎｍ未満、２ｎｍ未満、５ｎｍ未満、１０ｎｍ未満、２０ｎｍ未満、５０ｎｍ未満、１００ｎｍ未満、または１００ｎｍ以上）の情報を得ることができる。ＴＯＦ−ＳＩＭＳでは、照射した一次イオンの量は著しく少量であり、有機化合物がその化学構造を維持しながらイオン化され、有機化合物の構造を質量スペクトルから特定することができるようになる。二次イオン質量分析法の原理は、例えば、Ｂｅｌｕら（Ｂｉｏｍａｔｅｒｉａｌｓ．２００３  ２４：３６３５−５３）、Ｐoｌら（Ｈｉｓｔｏｃｈｅｍ  Ｃｅｌｌ  Ｂｉｏｌ．２０１０  １３４：４２３−４３）及びＫｌｉｔｚｉｎｇ（Ｍｅｔｈｏｄｓ  Ｍｏｌ  Ｂｉｏｌ．２０１３  ９５０：４８３−５０１）に記載されている。
【００５８】
上述のように、初期データを得た後、データを用いて試料の画像を構築する。この画像を分析して、個別細胞の境界、及び／または個別細胞の細胞内特徴を画像内で識別することができる。細胞の画像を分割するコンピュータ実装方法は、当業界において周知であり、比較的単純な閾値化技術（例えば、Ｋｏｒｄｅら、Ａｎａｌ  Ｑｕａｎｔ  Ｃｙｔｏｌ  Ｈｉｓｔｏｌ．２００９  ３１，８３−８９及びＴｕｏｍｉｎｅｎら、Ｂｒｅａｓｔ  Ｃａｎｃｅｒ  Ｒｅｓ  ２０１０  １２，Ｒ５６を参照されたい）からより高度な方法、例えば、最大細胞径（Ｋｏら、Ｊ  Ｄｉｇｉｔ  Ｉｍａｇｉｎｇ  ２００９  ２２，２５９−２７４）または勾配フロートラッキング（Ｌｉら、Ｊ  Ｍｉｃｒｏｓｃ  ２００８  ２３１，４７−５８）により規定された適応注目ウィンドウまでの範囲に及ぶ。いくつかの適切な画像分割方法が、Ｋｏら（Ｊ  Ｄｉｇｉｔ  Ｉｍａｇｉｎｇ．２００９  ２２：２５９−７４）及びＯｎｇ（Ｃｏｍｐｕｔ  Ｂｉｏｌ  Ｍｅｄ．１９９６  ２６：２６９−７９）で考察することができる。次に、個別細胞の各々またはその細胞内特徴に対応し、分割することで規定されているデータを統合して、各細胞の境界内の質量タグの各々の量を表す値を細胞ごとに提供する。本方法のこのステップにより、細胞に関連付けられている質量タグの各々の量の測定値を細胞ごとに含むデータセットが得られる。この概念を以下に示す表に示す。
2019215349.tif 000003
【００５９】
このデータにより試料中の細胞をカテゴリー分けすることができる。例えば、上の表に示す例では、３個の細胞は、異なるプロファイルの質量タグ（ここで、プロファイルがカテゴリーを識別する）を有するので、異なる種類の細胞である可能性が高い。特定の場合では、この情報を用いて、細胞の各々がそれらのカテゴリーにより色分けされる偽色画像を生成してもよい。したがって、本方法は、細胞がそれらのカテゴリーにより色分けされる試料の画像を表示することを含んでもよい。特定の実施形態では、画像のいずれの１つのピクセルにおいても、ピクセルの色の強度は、最初の走査によって得られたそのピクセルについて得られた信号の大きさと相関している。これらの実施形態では、得られた偽色画像は色分け細胞を示すことができ、細胞の任意の単一ピクセルの色の強度は、試料中の対応する領域に関連付けられている特異的結合試薬の量と相関している。
【００６０】
最初の走査は、試料の部分除去（例えば、ナノメートル規模の深度で）しかもたらさないので、試料を再走査して、最初に走査された領域にわたって１つ以上の質量タグの存在量の測定値を有する追加のデータセットを生成してもよい。例えば、最初の走査を用いて、試料中の対象となる領域（単数または複数）を特定してもよい。そのような走査は、低分解能でより速やかであるため、一度により広い領域の質量タグ存在量を測定することができ、及び／または試料の除去はより少なくなり得る。再走査は、対象となる領域（単数または複数）の金属タグの存在量の高分解能走査であってもよい。あるいはまたはさらに、同じ領域にわたって複数の走査を用いて、（例えば、個別の二次元データセットから集約された）三次元画像を生成してもよい。ある特定の態様では、最初の走査により同定された対象となる領域は、例えば、レーザーキャプチャーマイクロダイセクションによって対象となる領域を試料から単離後にさらに分析してもよい。
【００６１】
本明細書に記載の方法は、（例えば、定量的試料間比較を可能にするため）試料及び／または時点にわたって得られたデータを標準化する手段として正規化を含んでもよい。ある特定の態様では、イオン化及び／または全測定効率の正規化を、試料中に存在する標準化された金属粒子または懸濁液を用いて行ってもよい。標準化された金属粒子または懸濁液は、公知の量の１つ以上の質量タグを有してもよく、１つ以上の質量タグの得られた測定を用いて、試料中の他の質量タグの測定値を正規化してもよい。例えば、正規化ビーズを用いて、システムを較正するかまたは対象方法によって得られたデータを正規化してもよい。ビーズ標準を用いたマスサイトメトリーデータの正規化は、Ｒａｃｈｅｌ  Ｆｉｎｋら（Ｃｙｔｏｍｅｔｒｙ  Ａ．８３（５）：４８３−９４（２０１３））に記載されており、これは、参照により本明細書に組み込まれ、飛行時間質量分析法も利用する対象方法に適用可能である。
【００６２】
あるいはまたはさらに、イオン化及び／または測定効率は、上述の染料のいずれかにしたがって正規化してもよい。例えば、ＥＲの染料に用いた質量タグの測定値は、所与の領域の、細胞の、または試料中の複数の細胞にわたる質量タグの全体強度に対して正規化してもよい。
【００６３】
また、正規化を用いて、例えば、組織固定の度合い、タンパク質の保持、特異的結合試薬による染色効率の効果を考慮してもよい。広範囲の細胞型にわたって安定的に発現した分子標的に結合するよく特徴付けられた抗体に結合した質量タグを用いて正規化してもよい。そのような抗体としては、限定的ではないが、ハウスキーピングタンパク質（ＧＡＰＤＨ、ＨＳＰ９０、ベータアクチン、及びベータチューブリンなど）、ｄｓＤＮＡ、及びヒストンＨ３に対する抗体が挙げられる。
【００６４】
上述のように、本発明の方法により、多重化アプローチが可能になる。複数の質量タグを測定して、複数の分子標的（例えば、特異的タンパク質、ＤＮＡ、ＲＮＡなど）の存在量、並びに試料（例えば、細胞または組織構造、細胞細胞小器官、細胞分画など）中の対象となる生物学的特徴を判断することができる。さらに、質量タグ測定値は、上述の実施形態のいずれかにしたがって正規化してもよい。多数の別個の質量タグにより、単一領域で２つ以上、５、１０、２０、３０、４０、５０、６０、７０、８０、１００またはそれ以上の異なる質量タグを多重化することができる。特異的分子標的の測定における信頼性を増すように、複数の質量タグ（例えば、同じ分子標的の相補エピトープに対する抗体に結合した）を重複して用いてもよい。さらに、多重化は、２つ以上の空間的に明確に異なる標的または対象となる特徴を標識するために同一質量タグを用いることで達成される。あるいはまたはさらに、金属タグの特有の組み合わせを用いて、空間的に明確に異なる標的または対象となる特徴を特定してもよい。
【００６５】
システム
試料を分析するシステムも提供する。このシステムは、ａ）試料を含む基板を保持するホルダを含む二次イオン質量分析法（ＳＩＭＳ）システムであって、（ｉ）試料を一次イオンビーム（例えば、酸素、セシウム、金、アルゴン、ビスマス、キセノン、Ｃ６０、ＳＦ６、またはガリウムイオン、またはその任意の混合物、例えば、酸素とキセノンイオンの混合物ビーム）で走査し、試料に結合されている特異的結合試薬の質量特異的存在量の測定値を含むデータセットを生成し、（ｉｉ）データセットを出力するように構成さるシステム、及び、ｂ）データセットを処理して試料の画像を生成する画像分析モジュールを含むコンピュータを具備していてもよい。ホルダは、走査しやすくするために少なくともｘ及びｙ方向（試料の平面内である）に制御可能に移動する（例えば、段付けされるかまたは連続的に移動する）ことが可能な可動ステージ内にある。画像分析モジュールは、上述の方法の多くのステップを行うようにプログラミングすることができる。例えば、いくつかの実施形態では、画像分析モジュールは、画像を分割して、個別細胞の境界、必要に応じて、個別細胞の細胞内特徴を画像内で識別してもよい。場合によっては、画像分析モジュールは、画像内の個別細胞の各々またはその細胞内特徴のデータを統合し、必要に応じて、細胞の各々について得られた統合データに基づいて、個別細胞をカテゴリー分けしてもよい。画像分析モジュールは、組織試料の画像を表示してもよく、細胞及び／またはその細胞内特徴は、それらのカテゴリーによって色分けされる。上述したように、画像のいずれの１つのピクセルにおいても、ピクセルの色の強度は、ＳＩＭＳシステムによって得られたそのピクセルについて得られた信号の大きさと相関している。特定の実施形態では、システムは、四重極、次いでイオンパルサー、次いで飛行時間（ＴＯＦ）管と結合しているＤＣイオン源（即ち、動的ソース）を含んでいてもよい。ＳＩＭＳシステムは、動的または静的であってもよい。ＮａｎｏＳＩＭＳは、高出力のＤＣ一次イオン源を用いるので動的とみなされ、ＮａｎｏＴＯＦは、低出力パルス源を用いるので静的とみなされる。
【００６６】
画像分析モジュールは、複数の走査領域から得られたデータセットを単一のデータセットに組み合わせることができ、複数の走査領域の各々は、互いにずれている。画像分析モジュールは、隣接する走査領域の縁端付近に同様の質量タグ強度を持つピクセルの重なりを増すように、隣接する走査領域間のオフセットを調整することができる。
【００６７】
画像分析モジュールは、データセットを１つ以上の偽色画像（例えば、疑似色、疑似明視野、疑似免疫蛍光）に変換してもよい。画像は、任意の適切な画像ファイル形式（例えば、ＪＰＥＧ、Ｅｘｉｆ、ＴＩＦＦ、ＧＩＦ、ＰＮＧ、ＩｍａｇｅＪなどの画像分析ソフトウェアによって読み取り可能な形式等）であってもよい。ある特定の実施形態では、画像分析モジュールは、１つ以上の質量タグの存在量（例えば、測定した強度）を、画像内の個別のピクセルでの１つ以上の偽色の強度に変換することで画像を生成してもよい。質量タグの強度と対応する偽色の強度の関係は、線形であっても非線形（例えば、対数、指数など）であってもよい。
【００６８】
ある特定の実施形態では、システムは、試料の領域に結合している複数の質量タグの存在量の空間的にアドレス可能な測定値を含む多重化データセットを生成するように構成される。画像分析モジュールは、複数の質量タグ測定値を変換して、複数の偽色画像を生成してもよい。画像分析モジュールは、多重化偽色画像を得るために複数の偽色画像を重ねてもよい（例えば、各ピクセルで偽色を重ね合わせる）。複数の質量タグ測定値（例えば、非加重または加重）は、例えば、複数の質量タグの各々に関連付けられている特異的結合試薬の結合によって特徴付けられる対象とする生物学的特徴を表すように単一偽色に変換してもよい。偽色は、ユーザからの手動入力に基づいて質量タグまたは質量タグの組み合わせに割り当ててもよい。あるいはまたはさらに、教師なしアプローチを用いて、単一偽色によって表される質量タグの群を決定してもよい。教師なしアプローチは、（例えば、主成分分析（ＰＣＡ）を介して）群の数を最小にしながら分散を最大にし、（例えば、任意の適切なクラスタリングアルゴリズムによって）共局在化する及び／または近接の質量タグを群化する質量タグの群を特定してもよく、または単一偽色によって表される質量タグを群化する任意の他の適切な方法を用いてもよい。ある特定の態様では、画像は、対象となる特徴に関連付けられた質量タグ、例えば、核分画（例えば、ｄｓＤＮＡ特異的質量タグと共局在化した）の質量タグの強度にのみ関連する偽色を含んでいてもよい。
【００６９】
画像分析モジュールはさらに、質量タグ強度または偽色の強度及び／またはコントラストを調整し（例えば、正規化する）、畳み込み演算（例えば、前記質量タグ強度または偽色のぼかしまたは鮮明化）を行い、または画像を向上するために任意の他の適切な動作を行うように構成される。ある特定の態様では、画像分析モジュールは、複数の２Ｄ走査から生成されたデータセットを集約し、細胞の３Ｄモデルである画像を生成してもよい。画像分析モジュールは、上記の動作のいずれかを行い、連続２Ｄ走査から得られたピクセルを整合させ、及び／または連続２Ｄ走査から得られたピクセルにわたって質量タグ強度または偽色をぼやけさせるかまたは平滑化して、３Ｄモデルを生成してもよい。
【００７０】
画像分析法は、コンピュータ上に実装してもよい。ある特定の実施形態では、汎用コンピュータを、本明細書に開示される方法及びプログラムのための機能的配置に構成することができる。そのようなコンピュータのハードウェアアーキテクチャは当業者に周知であり、１つ以上の処理装置（ＣＰＵ）と、ランダムアクセスメモリ（ＲＡＭ）と、読み取り専用メモリ（ＲＯＭ）と、内部または外部データ記憶媒体（例えば、ハードディスクドライブ）とを含むハードウェア構成要素を含むことができる。コンピュータシステムはまた、グラフィカル情報を加工及び表示手段に出力するための１つ以上のグラフィックボードを含むことができる。上記構成要素は、コンピュータ内部のバスを介して適切に相互接続することができる。コンピュータは、汎用の外部構成要素、例えば、モニタ、キーボード、マウス、ネットワーク等と通信するために適したインターフェースをさらに含むことができる。いくつかの実施形態では、本方法及びプログラムのための処理能力を増加させるために、コンピュータは並列処理することができる、または並列もしくは分散計算用に構成されたネットワークの一部となり得る。いくつかの実施形態では、記憶媒体から読み出されたプログラムコードを、コンピュータに挿入された拡張ボード、またはコンピュータに接続された拡張ユニットに提供されるメモリーに書き込むことができ、拡張ボードまたは拡張ユニットに提供されるＣＰＵなどが以下に記載される機能を果たすためにプログラムコードの命令にしたがって動作の一部または全部を実際に実行することができる。他の実施形態では、クラウドコンピューティングシステムを用いて本方法を行うことができる。これらの実施形態では、データファイル及びプログラミングをクラウドコンピュータにエクスポートし、クラウドコンピュータがプログラムを実行して出力をユーザに戻す。
【００７１】
システムは、ある特定の実施形態では、ａ）中央処理装置と、ｂ）ソフトウェア及びデータを記憶するための１つ以上のハードドライブを含むことができる主要不揮発性記憶ドライブであって、ディスクコントローラによって制御される記憶ドライブと、ｃ）不揮発性記憶ドライブからロードされたプログラム及びデータを含むシステム制御プログラム、データ、及びアプリケーションプログラムを記憶するためのシステムメモリー、例えば、高速ランダムアクセスメモリー（ＲＡＭ）と、ｄ）システムメモリーはまた、読み取り専用メモリ（ＲＯＭ）を含み、マウス、キーパッド及びディスプレイなどの１つ以上の入力または出力デバイスを含むユーザインターフェースと、ｅ）任意の有線または無線通信ネットワーク、例えば、プリンターと接続するための任意のネットワークインターフェースカードと、ｆ）システムの上記要素を相互接続するための内部バスとを含むコンピュータを含むことができる。
【００７２】
コンピュータシステムのメモリーは、処理装置による読み出しのための情報を記憶することができる任意のデバイスであり得、磁気もしくは光学デバイス、または固体メモリーデバイス（揮発性もしくは不揮発性ＲＡＭなど）を含むことができる。メモリーまたはメモリーユニットは、同じまたは異なる型の２つ以上の物理メモリーデバイスを有することができる（例えば、メモリーは、複数のドライブ、カードもしくは複数の固体メモリーデバイスまたはこれらのある組み合わせなどの複数のメモリーデバイスを有することができる）。コンピュータ可読媒体に関して、「永久メモリー」とは、永久であるメモリーを指す。永久メモリーは、コンピュータまたは処理装置への給電の終了によって消去されない。コンピュータハードドライブ、ＲＯＭ（即ち、仮想メモリーとして使用されないＲＯＭ）、ＣＤ−ＲＯＭ、フロッピーディスク、及びＤＶＤは、全て永久メモリーの例である。ランダムアクセスメモリー（ＲＡＭ）は、非永久（即ち、揮発性）メモリーの例である。永久メモリーのファイルは、編集可能及び書き換え可能であり得る。
【００７３】
コンピュータの動作は、中央処理装置によって実行されるオペレーティングシステムによって主に制御される。オペレーティングシステムは、システムメモリーに記憶することができる。いくつかの実施形態では、オペレーティングシステムは、ファイルシステムを含むことができる。オペレーティングシステムに加えて、システムメモリーの１つの可能な実装は、以下に記載される方法を実施するための種々のプログラミングファイル及びデータファイルを含む。ある特定の場合において、プログラミングはプログラムを含むことができ、プログラムは、種々のモジュール、及びユーザがユーザインターフェースでプログラミングによって使用される入力またはパラメータを手動で選択または変更することを可能にするユーザインターフェースモジュールで構成され得る。データファイルは、プログラミングのための種々の入力を含むことができる。
【００７４】
ある特定の実施形態では、本明細書に記載の方法による命令を、「プログラミング」の形態でコンピュータ可読媒体にコード化することができ、本明細書で使用される「コンピュータ可読媒体」という用語は、実行及び／または処理のために命令及び／またはデータをコンピュータに供給することに関与する任意の記憶または伝送媒体を指す。記憶媒体の例としては、コンピュータの内部または外部にあろうとなかろうとフロッピーディスク、ハードディスク、光ディスク、光磁気ディスク、ＣＤ−ＲＯＭ、ＣＤ−Ｒ、磁気テープ、不揮発性メモリーカード、ＲＯＭ、ＤＶＤ−ＲＯＭ、ブルーレイディスク、固体ディスク、及びネットワーク接続ストレージ（ＮＡＳ）が挙げられる。情報を含むファイルをコンピュータ可読媒体に「記憶」することができ、「記憶すること」とは、情報がコンピュータによって後日アクセス可能及び検索可能となるように情報を記録することを意味する。
【００７５】
本明細書に記載されるコンピュータにより実現される方法は、任意の数のコンピュータプログラミング言語の１つ以上で書き込まれ得るプログラミングを用いて実行することができる。このような言語には、例えば、Ｊａｖａ（Ｓｕｎ  Ｍｉｃｒｏｓｙｓｔｅｍｓ，Ｉｎｃ．、サンタクララ、カリフォルニア州）、Ｖｉｓｕａｌ  Ｂａｓｉｃ（Ｍｉｃｒｏｓｏｆｔ  Ｃｏｒｐ．、レドモンド、ワシントン州）、及びＣ＋＋（ＡＴ＆Ｔ  Ｃｏｒｐ．、ベドミンスター、ニュージャージー州）ならびに任意の多数が含まれる。
【００７６】
有用性
上述の方法を用いて、対象からの細胞を分析し、例えば、細胞が正常であるかどうかを判定し、または細胞が治療に応答しているかどうか判定することができる。一実施形態では、本方法を用いて、がん細胞の異形成の度合いを判定してもよい。これらの実施形態では、細胞は、多細胞生物または微生物からの試料であってもよい。生物学的試料は、個体（例えば軟組織もしくは体液）から、またはインビトロで増殖された細胞培養物から単離してもよい。生物学的試料は、脳、副腎、皮膚、肺、脾臓、腎臓、肝臓、脾臓、リンパ節、骨髄、膀胱、胃、小腸、大腸また筋肉等などの軟組織から作ることができる。体液には、血液、血漿、唾液、粘液、痰、脳脊髄液、胸膜液、涙液、乳糜管液、リンパ液、喀痰、脳脊髄液、滑液、尿、羊水、及び精液等が含まれる。生物学的試料には、インビトロでの培養下で増殖された細胞が含まれる。細胞は、組織生検、擦り取った細胞または洗浄細胞の細胞であってもよい。特定の実施形態では、細胞は、ホルマリン固定パラフィン包埋（ＦＦＰＥ）試料中の細胞であってもよい。特定の場合では、本方法を用いて、ＦＦＰＥ試料中の異なる種類のがん細胞を区別してもよい。
【００７７】
上述の方法は、抗体のパネルを用いて組織切片を検査するのに特定の有用性が見られ、その例を以下の表に示す。
【００７８】
2019215349.tif 000004
2019215349.tif 000005
【００７９】
いくつかの実施形態では、本方法は、上述のように画像を（この電子的形態は、遠隔場所から送られたものでもよい）得ることを伴ってもよいし、医師または他の医療専門家によって分析し、患者が異常細胞（例えば、がん性細胞）を有するかどうかまたはどの種類の異常細胞が存在するか判断してもよい。画像を診断として用いて、対象が疾患または病態、例えば、がんを有するかどうか判定してもよい。ある特定の実施形態では、本方法を用いて、例えば、がんのステージを判定するか、転移した細胞を特定するか、または治療への患者の応答を監視してもよい。
【００８０】
いずれの実施形態においても、データを「遠隔場所」に送ることができ、ここで「遠隔場所」は、画像を検査する場所以外の場所を意味する。例えば、遠隔場所は、同じ市内の別の場所（例えば、オフィス、実験室等）、異なる市内の別の場所、異なる州内の別の場所、異なる国内の別の場所等とすることが可能である。したがって、ある物が、別の物から「遠隔」であると表わされる場合、その意味するところは、２つの物が、少なくとも、異なる室内または異なる建物内にあり、少なくとも、１マイル、１０マイル、または、少なくとも、１００マイル離れている可能性があるということである。情報を「通信する」は、適切な通信チャネル（例えば、プライベート・ネットワークまたは公衆通信回線）を介して、電気信号としてその情報を表わしたデータを伝送することを表す。物を「送る」は、その物を物理的に運ぶか、別様に運ぶか（それが可能な場合）にかかわらず、ある場所から次の場所へその物を運ぶことを表わしており、少なくとも、データの場合、データを納めた媒体を物理的に運ぶか、あるいは、データを通信することが含まれる。通信媒体の例としては、無線または赤外線伝送チャネル、並びに別のコンピュータまたはネットワークデバイスへのネットワーク接続、電子メール送信を含むインターネット、またはウェブサイトに記録された情報などが挙げられる。ある特定の実施形態では、画像は、医師または他の有資格医療専門家によって分析してもよいし、画像の分析結果に基づくレポートを、試料を得た患者に送ってもよい。
【００８１】
場合によっては、本方法は、限定的ではないが、疾患または病態の診断または監視（画像は、疾患または病態のマーカーを特定する）、創薬標的の発見（画像のマーカーは、薬物療法の標的であってもよい）、薬剤スクリーニング（薬剤の効果が、画像に示すマーカーにより監視される）、薬剤感受性の判断（薬剤感受性が、マーカーに関連付けられる）、及び基礎研究（試料中の細胞間の差を測定するのが望まれる）を含む種々の診断、創薬、及び研究用途で用いてもよい。
【００８２】
ある特定の実施形態では、２つの異なる試料を、上記の方法を用いて比較してもよい。異なる試料は、「実験」試料、即ち、対象となる試料と、実験試料と比較することができる「対照」試料とからなっていてもよい。多くの実施形態では、異なる試料は、細胞型対またはその分画対であり、一方の細胞型は、対象となる細胞型、例えば、異常細胞であり、他方のものは、対照、例えば、正常細胞である。細胞の２分画を比較する場合、分画は、通常、２つの細胞の各々からの同じ分画である。しかしながら、ある特定の実施形態では、同じ細胞の２分画を比較してもよい。例示的な細胞型対としては、例えば、組織生検から単離された細胞（例えば、結腸、乳房、前立腺、肺、皮膚がんなどの疾患を有する組織、または病原体などで感染した組織由来）及び同じ組織、通常、同じ患者からの正常細胞；組織培養で増殖した不死の細胞（例えば、増殖性変異または不死化導入遺伝子を持つ細胞）、病原体で感染した細胞、または（例えば、ペプチド、ホルモン、温度変化、成長条件、身体的ストレス、細胞形質転換などの環境または化学薬剤）で処理した細胞、及び正常細胞（例えば、不死ではなく、感染しておらず、または処理などされていない以外は、実験細胞と同一の細胞である細胞）；がん、疾患を持つ哺乳動物、老齢哺乳動物、または病態に曝された哺乳動物から単離された細胞、及び同じ種の哺乳動物、好ましくは、同じ家族からの健康で若い哺乳動物からの細胞；及び同じ哺乳動物からの分化細胞及び未分化細胞（例えば、一方の細胞は、哺乳動物の他方の前駆細胞である）。一実施形態では、異なる型の細胞、例えば、神経及び非神経細胞、または異なる状態（例えば、細胞の刺激前後）の細胞を用いてもよい。本発明の別の実施形態では、実験材料は、ウイルス、例えば、ヒト免疫不全ウイルス（ＨＩＶ）などの病原体に感染しやすい細胞であり、対照材料は、病原体による感染に耐性を持つ細胞である。別の実施形態では、試料対は、未分化細胞、例えば、幹細胞と、分化細胞とによって表される。
【００８３】
例えば、バクテリア、酵母、植物及び動物（例えば、魚類、鳥類、爬虫類、両生類及び哺乳類）からの任意の生物からの細胞を対象方法で用いてもよい。ある特定の実施形態では、哺乳動物細胞、即ち、マウス、ウサギ、霊長類、またはヒトからの細胞、またはその培養誘導体を用いてもよい。
【００８４】
本発明をさらに説明するために、以下の具体的な実施例が、本発明の例示のために提供されており、本発明の範囲を何ら限定すると解釈すべきではないことを理解した上で記載される。
【実施例】
【００８５】
同位体に関して純粋な元素金属レポーターを介して抗体をイメージングするために二次イオン質量分析法を用いる方法が以下に記載される。多重化イオンビームイメージング（ＭＩＢＩ）は、５ｌｏｇのダイナミックレンジにわたって５０ｎｍ横方向分解能で同時に最大で１００個またはそれ以上の標的を分析することができる。ここで、ＭＩＢＩを用い、１０個の標識を同時に用いてホルマリン固定パラフィン包埋（ＦＦＰＥ）ヒト乳房腫瘍組織切片を分析する。得られたデータにより、ＭＩＢＩが組織微細構造に関する新たな洞察と、臨床診断、基礎研究、及び創薬に関する高多重化タンパク質発現パターンとをもたらすことが示唆される。
【００８６】
この方法は、従来の光ベースの染色法に伴ういくつかの制限を解消する。この方法は、ＦＦＰＥ組織を含む実質的に任意の真空に対応できる標本に用いることができる。本方法の妥当性の確認において、より従来のアプローチと比較してＰＢＭＣのほぼ定量的に同一の免疫表現型分析（図２）、並びに同時に分析した１０個またはそれ以上のマーカーのさらなる利点を伴う異なる免疫表現型を持つ３つのＦＦＰＥ乳房腫瘍の等価（染料パターン及び強度）イメージング（図３）を示すことができた。さらに、マーカー多重化及び画像分割により、細胞発現及び細胞内発現を記述する定量的特徴抽出が可能になり、全体として、組織の元の臨床病理学に戻って関連させることができる細胞亜集団の免疫表現型が明らかになった（図４）。最後に、画像の偽色（または疑似色）と組み合わせた新規のアプローチにより、高次元分析を迅速に解釈可能な単一画像へと抽出することができ、ここで、複数の表現型を、教師なしの方法で単一色によって表すことができた（図５）。そのような表現は、ＭＩＢＩ様アプローチを用いて容易に入手可能かつ解釈可能な高次元情報を活用することで顕微鏡ベース診断を大幅に改善する機会を与える。
【００８７】
ＭＩＢＩは、従来のＩＨＣ技術を超える利点を有する。自己蛍光によるバックグラウンド信号が無く、ここに示されるダイナミックレンジはすでに、免疫蛍光及び発色ＩＨＣをそれぞれ１００倍及び１０００倍上回る１０５である。質量分解能は１ダルトンの１／１００未満であるので、異なる金属結合一次抗体間でスペクトルの重なりは観察されず、チャネル補償する必要がなくなる。二次標識も増幅検出も必要としないので、アッセイ線形性は、発色ＩＨＣ及びＩＦの両方に対して改善される。一方、比較的従来の方法を免疫反応に使用し、質量タグは劣化しないため、試料は無制限に安定であり、遠隔調製を、集中読取施設とともに可能とすることができる。
【００８８】
ＭＩＢＩの機能を他の領域に拡張し、インサイチュハイブリダイゼーション及び細胞内代謝分析など、抗体ベース分析から離れて拡張する試薬を開発することができる。まとめると、既存の分析システムを比較的若干修正することで可能となるＭＩＢＩの拡張機能は、組織構造、タンパク質発現、遺伝子発現、及び細胞内レベルの代謝を統合する実用的な多重化イメージングプラットフォームの可能性への道を開く。
【００８９】
方法
基板調製：シリコンウェーハ（Ｓｉｌｉｃｏｎ  Ｖａｌｌｅｙ  Ｍｉｃｒｏｅｌｅｃｔｒｏｎｉｃｓ）を１８ｍｍ２片に角切りにし、メタノールで２回濯ぎ、綿先端アプリケーターで研磨した。次いで、洗浄した基板を２％ポリ−ｌ−リシン溶液（Ｓｉｇｍａ−Ａｌｄｒｉｃｈ）に１０分間浸し、６０℃で１時間焼成した。
抗体：抗体、レポーター同位体、及び濃度の要約が、下の表Ｓ１に見出される。製造者推奨のプロトコルに従って、ＭａｘＰＡＲ抗体結合キット（ＤＶＳ  Ｓｃｉｅｎｃｅｓ、Ｔｏｒｏｎｔｏ、Ｃａｎａｄａ）を用いて金属結合一次抗体を一度につき１００μｇで調製した。標識後、抗体をＣａｎｄｏｒ  ＰＢＳ抗体安定化溶液（Ｃａｎｄｏｒ  Ｂｉｏｓｃｉｅｎｃｅ  ＧｍｂＨ、Ｗａｎｇｅｎ、Ｇｅｒｍａ血球発現）で０．４ｍｇ／ｍＬに希釈し、４℃で長期保存した。
【００９０】
表Ｓ１
2019215349.tif 000006
【００９１】
細胞：ＩＲＢ承認プロトコルに従ってスタンフォード血液銀行から不適合ヒト末梢血を購入した。全ての血液試料をヘパリン硫酸塩抗凝固剤中に収集し、室温で４〜６時間保存し、Ａｃｃｕｓｐｉｎ管（Ｓｉｇｍａ−Ａｌｄｒｉｃｈ、Ｓｔ．Ｌｏｕｉｓ、ＭＯ）を用いてフィコールパックプラス（Ａｍｅｒｓｈａｍ  Ｂｉｏｓｃｉｅｎｃｅｓ）の上に分離し、赤血球、血小板、及び顆粒球を除去した。細胞をＦＣＳ中で１０％ＤＭＳＯとともに凍結させた。細胞をＲＰＭＩ中で１０％ＦＣＳ（凍結試料に場合には、２ｍＭ  ＥＤＴＡを補充した）、１×Ｌ−グルタミン、及び１×ペニシリン／ストレプトマイシン（Ｉｎｖｉｔｒｏｇｅｎ）とともに３７℃、５％ＣＯ２で１時間静置した。
【００９２】
末梢血単核細胞の染色：細胞染色プロトコルは、前述した手順に基づいた。簡単に言えば、細胞を１時間静置した後、表面マーカー抗体を追加して、１００μＬの最終反応液量をもたらし、室温で３０分間インキュベートした。インキュベーション後、細胞を細胞染色媒体で２回洗浄し、２つのアリコートに分けた。マスサイトメトリー分析では、細胞を４℃メタノールで１０分間４℃にて透過処理し、細胞染色媒体で２回洗浄し、残量メタノールを除去した後、１．６％ＰＦＡとともにＰＢＳで希釈した１ｍＬの１：４０００の１９１／１９３Ｉｒ  ＤＮＡ挿入剤で２０分間室温にて染色した。次いで、細胞を細胞染色媒体で１回洗浄し、ＰＢＳで１回洗浄した後、分析前におおよそ１０６個の細胞／ｍＬにｄＨ２Ｏで希釈した。ＭＩＢＩ分析では、おおよそ１０７個の細胞／ｍＬにＰＢＳで希釈した５０μＬの細胞をシリコン基板上に載置し、２０分間付着させた。その後、基板をＰＢＳで穏やかに濯ぎ、２％グルタルアルデヒドでＰＢＳ中５分間固定し、ｄＨ２Ｏで２回濯いだ。最後に、試料を一連の勾配エタノールを介して脱水し、室温で空気乾燥させ、分析前に少なくとも２４時間真空デシケーター中で保存した。
【００９３】
乳房腫瘍組織切片：ミクロトームを用いて、ヒト乳房腫瘍のＦＦＰＥ組織ブロックから組織切片（４μｍ厚さ）を切除し、ＭＩＢＩ分析用にポリ−ｌ−リシン被膜シリコン基板上に、または免疫ペルオキシダーゼ（ＩＰＯＸ）染色用にスライドガラス上にマウントした。シリコンにマウントした切片を６５℃で１５分間焼成し、キシレンで脱パラフィンし、一連の勾配エタノールを介して再水和した。次いで、切片をエピトープ回収緩衝液（１０ｍＭクエン酸ナトリウム、ｐＨ６）中に浸し、圧力鍋に３０分間載置した（Ｅｌｅｃｔｒｏｎ  Ｍｉｃｒｏｓｃｏｐｙ  Ｓｃｉｅｎｃｅｓ、Ｈａｔｆｉｅｌｄ、ＰＡ）。次いで、切片をｄＨ２Ｏで２回濯ぎ、洗浄緩衝液（ＴＢＳ、０．１％Ｔｗｅｅｎ、ｐＨ７．２）で１回濯いだ。表面を繊維非放出性薄織物で穏やかに接触させることで残存緩衝液を除去した後、ブロッキング緩衝液で３０分間（ＴＢＳ、０．１％Ｔｗｅｅｎ、３％ＢＳＡ、１０％ロバ血清、ｐＨ７．２）インキュベートした。次に、ブロッキング緩衝液を除去し、切片を加湿チャンバ中で４℃にて一晩染色した。翌朝、切片を洗浄緩衝液中で２回濯ぎ、５分間（ＰＢＳ、２％グルタルアルデヒド）後固定した後、ｄＨ２Ｏで濯ぎ、Ｈａｒｒｉｓヘマトキシリンで１０秒間染色した。最後に、切片を一連の勾配エタノールを介して脱水し、室温で空気乾燥させ、イメージング前に少なくとも２４時間真空デシケーター中で保存した。ｐＨ６．０の１２５℃でのクエン酸緩衝液とともに圧力を１５ｐｓｉにした状態でデクローキングチャンバ（Ｂｉｏｃａｒｅ  Ｍｅｄｉｃａｌ、Ｃｏｎｃｏｒｄ、ＣＡ）を用いて抗原回収を行った。スライドがチャンバ中にあった総時間は４５分であった。一次抗体でのインキュベーションを、加湿チャンバ中で室温にて一晩行った。正常なヤギ血清をブロッキングに用いた。ビオチニル化ヤギ抗ウサギ（１：１０００）は、それぞれ、信号の増幅及び視覚化に用いたベクタスタチンＡＢＣキットエリート及びペルオキシダーゼ基板キットＤＡＢ（Ｖｅｃｔｏｒ  Ｌａｂｓ、Ｂｕｒｌｉｎｇａｍｅ、ＣＡ）で用いた二次抗体であった。各評価抗原を含むことが知られている組織を陽性対照として用いた。
【００９４】
ＭＩＢＩ分析：酸素デュオプラズマトロン源によって供給されたＯ一次イオンビームを用いたＮａｎｏＳＩＭＳ  ５０Ｌ質量分析計（Ｃａｍｅｃａ）でＭＩＢＩ分析を行った。一次光学系、二次光学系、及び質量分析計を各実験前に調整した。シリコン上に埋め込んだ金属結合抗体標準を用いて７台の検出器のトロリーを較正した。まず、検出器のトロリーを焦点面に沿って各抗体に対応している金属の質量ピークに移動させた。次いで、高質量分解能（ＨＭＲ）走査を行い、各トロリーの検出器電圧を調整することで、質量ピークを検出器に集中させた。水平及び垂直ビームの位置合わせを調整し、質量分析計の入射スリットを介する二次イオン透過を最大限にした。次いで、油浸レンズ（Ｅ０Ｓ）の第３の電極の電圧がおおよそ７１５０Ｖである際に二次イオン信号が最大になるように試料ステージのｚ位置を調整した。レンズであるＬｄｕｏ、Ｌ０、及びＬ１を調整して、一次イオンビームを対象領域（ＲＯＩ）に集中させた。Ｄ１開口２、Ｄ０開口０または３、おおよそ１５００ＶのＬ１電圧、入射スリット０、及び開口スリット０を用いて陽性イオンモードで全てのデータを取った。７つを超えるチャネルを含む画像を、同じ視野の反復走査間に検出器のトロリーを再較正することで取得した。明視野顕微鏡を用いて連続切片上で特定したＲＯＩを、ＣＣＤカメラを用いてＮａｎｏＳＩＭＳ分析チャンバに配置した。二次イオン収率が定常状態に到達するまで、試料を高一次イオン電流でＯ−に埋め込んだ。スティグメータ八重極のＯｃｔ−９０電圧及びＯｃｔ−４５電圧を手動で調整し、周期的なアルミニウムグリッドのリアルタイムイオン画像（ＲＴＩ）を見ながら画像歪みを最小限にした。各画像取得の前に、ＲＴＩを見ながら油浸レンズ（Ｅ０Ｐ）の第２の電極の電圧を調整することで、視野に手動で焦点を合わせた。２〜１０ｍｓのピクセル滞留時間と単一領域において最大で１０回の反復走査で５０〜１００μｍ視野にわたるイオン画像を取得した。単一視野の全走査時間は、５〜２５分の範囲であった。複数の隣接視野を単一モザイクに一緒につなぐことでより大きな領域を構築した。
【００９５】
マスサイトメトリー測定：前述のように、細胞イベントをＣｙＴＯＦマスサイトメーター上に収集した。「データ」較正を用いた二重計数モードによる検出では、畳み込み閾値を１００にした状態で、細胞長を１０〜７５の範囲に設定した。検出器が安定するまでの２０秒の遅れを用いて、取得率が１秒当たり５００個未満の細胞となるように全ての試料を希釈した。
【００９６】
ＰＢＭＣモザイクの縫い合わせ：４０×３０長方形で配置された一連の１２００個の個別の四方５０μｍ（１２８ピクセル）タイルにおけるＭＩＢＩ  ＰＢＭＣデータを収集した。タイルの相対位置は、対数変換されたＣＤ４５画像を用いて決定した。隣接タイル間で報告されたオフセットは、ｘ方向及びｙ方向の両方で４０μｍであったが、実際のオフセットは、ステージの位置が不正確であることにより変わることが観察された。これを考慮して、各タイルを、報告されたオフセットに従って最初に載置し、その後、ｘ方向及びｙ方向の両方に複数の異なる位置に１〜２０ピクセルほど動かした。各場所で、新しいタイルと前のタイルの間の重なり領域の相関を算出した。次に、重なり領域の相関が最大になった位置にタイルを割り当てた。
【００９７】
ＰＢＭＣ画像分割：ＣＤ４５タイルの対数変換モザイクを二次元ガウシアンカーネルにより３ピクセルの標準偏差で畳み込んだ後、１の密度で閾値化した。この閾値を超える密度の各連続領域は、個別細胞として予め標識した。次のステップは、単一細胞として最初に標識するのに十分に近い任意のセットの複数の細胞をそれらの構成一重項に分離することであった。これをするため、予備細胞ごとに、境界に沿った互いの距離のユークリッド距離（「ピンチポイント」）に対する比率が最大であった境界上の２点を特定した。この比率が０．４２（ヒューリスティックカットオフ）を超えた場合、予備細胞を、ピンチポイント間の新しい境界線分を持つ２個の細胞に分割した。この処理を全ての細胞にわたって繰り返し、この分離基準を超えるピンチポイントを持つ細胞がなくなるまで、新しい各予備細胞を生成しながら繰り返した。
【００９８】
細胞境界を決定すると、測定した各チャネルの生値を各境界内で合計し、細胞１個当たりに基づく全イオン強度の表を生成した。各細胞内のピクセル数も、細胞サイズの１つの尺度として算出した。この表は、標準マスサイトメトリー実験からなどの．ｆｃｓファイルと等価であった。
【００９９】
データ分析：二重項及び細片を除去するために、ＤＮＡによる標準細胞長、次いで、ＣＤ４５ゲートによる細胞長を適用することで、一重項をマスサイトメトリーＰＢＭＣからゲーティングし、ＣＤ４５による細胞面積を用いた一重ゲートをＭＩＢＩ  ＰＢＭＣに適用した。ＭＩＢＩ及びＣｙＴＯＦの両方で処理したＰＢＭＣに対する後続のゲーティングスキームを図２Ｂ及び図２Ｃにそれぞれ示す。
【０１００】
結果
ＭＩＢＩの性能評価：ＭＩＢＩのワークフローは、免疫蛍光（ＩＦ）及び発色ＩＨＣアッセイと比較可能である（図１）。フルオロフォアまたは酵素結合試薬の代わりに、生物学的標本を、同位体的に純粋で安定的なランタニドに結合した一次抗体とともにインキュベートする（図１）。一次抗体は、標本との同時インキュベーションのために、溶液中で混合される。ＭＩＢＩ用に調製した標本を試料ホルダにマウントし、ラスタライズ化された酸素デュオプラズマトロン一次イオンビームに曝した。このイオンビームが試料に衝突することで、結合抗体のランタニド付加物を二次イオンとして遊離させる。この試験では、二次イオンを複数の光電子増倍管を備えた磁場型質量分析計を介して次に分析し、複数のランタニド同位体（質量ベースレポーター）を並列検出させる。得られたデータは、各ランタニドの元素分布、したがって、各抗体とその対応しているエピトープの二次元マップを生成する。
【０１０１】
７つの金属同位体結合した一次抗体（ＣＤ３、ＣＤ４、ＣＤ８、ＣＤ１４、ＣＤ１９、ＣＤ４５、ＨＬＡ−ＤＲ）で染色した末梢血単核細胞（ＰＢＭＣ）を、マスサイトメトリー及びＭＩＢＩを用いて並列で評価した（図２）。前述のように、ＰＢＭＣ懸濁液でマスサイトメトリーを行った。ＭＩＢＩでは、細胞をポリ−ｌ−リシン被膜シリコンウェーハ上に固定化し、真空下で乾燥させ、ＮａｎｏＳＩＭＳ  ５０Ｌ（商標）質量分析計を用いて分析した。順次５０-□ｍ領域を画像形成し、抗体ごとに合成モザイクに構築した（図２Ａ）。得られたモザイクを、ＣＤ４５チャネルを用いて対象となる単一細胞領域（ＲＯＩ）に分割した。抗体ごとに単一細胞発現データを抽出するため、チャネルごとのイオン計数を細胞ＲＯＩごとに統合した。
【０１０２】
マスサイトメトリー及びＭＩＢＩは、１０５のダイナミックレンジを有するＭＩＢＩのマーカー強度による従来の２軸プロット（図２Ｂ）を介して分析した場合、同様な結果と、発現の定性的なパターンとを生成した。さらに、両方のプラットフォームでは、７つの手動でゲーティングされた細胞集団に対して定量的に同様の頻度が得られ（図２Ｃ）、これらの３つの集団は、プラットフォーム（Ｂ−細胞、ＣＤ８＋Ｔ−細胞、ＣＤ４＋Ｔ−細胞）間で１％未満の違いであった。全体として、ＰＢＭＣをテストケースとして用いると、ＭＩＢＩは、空間情報のさらなる利点を持った状態で、従来の分析プラットフォームと定性的及び定量的に等価の結果を得ることができた。
【０１０３】
ヒト乳房腫瘍組織切片の１０色イメージング：診断用設定で取得した組織切片の分析にＭＩＢＩを利用するために、金属結合一次抗体と未修飾一次抗体を比較することで従来のＩＨＣ染色で用いた金属結合試薬の活性を確認しようとした。Ｋｉ６７またはエストロゲンレセプターアルファ（ＥＲ）の金属結合一次抗体または未修飾一次抗体で処理した単一ＦＦＰＥヒト乳房腫瘍組織ブロックからの連続切片の二次染色により、同様な強度の陽性核染色と同様なレベルのバックグラウンド染色とが示され（図３Ａ）、金属結合が特異的及び非特異的染色挙動に実質的に影響を及ぼさないことを示している。
【０１０４】
最後に、診断イメージング用途におけるＭＩＢＩの全体の性能を評価するため、３人の異なる患者からのＦＦＰＥ乳房腫瘍組織切片を分析した。ＥＲ、プロゲステロンレセプター（ＰＲ）、及びＨＥＲ２陽性は、有効試薬を用いて臨床ＩＨＣラボで確認した。ＭＩＢＩでは、腫瘍切片をポリ−ｌ−リシン被膜シリコンウェーハ上にマウントし、脱パラフィンし、熱誘導エピトープ回収を施した後、ｄｓＤＮＡ、ＥＲ、プロゲステロンレセプター（ＰＲ）、ｅ−カドヘリン、Ｋｉ６７、ビメンチン、アクチン、ケラチン、及びＨＥＲ２の金属結合抗体で一晩染色した。都合のよいことに、ヘマトキシリン対比染色は、その元素アルミニウム含有量を測定することで容易に検出することができる。翌日、切片を洗浄し、ヘマトキシリンで対比染色し、一連の勾配エタノールを介して脱水した。
【０１０５】
ＭＩＢＩ分析を用いて、ＦＦＰＥ組織の従来の高分解能の画像を構築することができる。所望のマーカーを白色から茶色スケールで置きながらヘマトキシリンを白色から青色スケールでコードすることで、従来のＤＡＢ染料を模倣する疑似明視野画像を構築した（図３Ｂ、上部）。赤色にコードされたｄｓＤＮＡチャネル、青色にコードされたヘマトキシリンチャネル、及び緑色にコードされたマーカーチャネルを用いて、三色免疫蛍光を模倣する疑似蛍光画像を構築した（図３Ｂ、下部）。単一視野内の抗体ごとの疑似明視野と疑似蛍光の合成画像を、図３Ｃで３つの組織切片ごとに示す。３つの標本にわたるＨＥＲ２、ＥＲ、及びＰＲ陽性の比較により、従来のＩＨＣ染色により構築された免疫表現型に対する適切な発現が示される。ＥＲ及びＰＲを発現する切片は、境界の明瞭な核染色、散乱したＫｉ６７陽性核、及び間葉細胞中のビメンチンに対する強い陽性染色を示す。ＨＥＲ２陽性切片は、強い膜染色を示す。Ｅカドヘリン、アクチン、及びケラチンも適切な細胞内染色パターンを示す。
【０１０６】
同時に取得したマーカーからの画像分割及び特徴抽出：この試験における定量的に多重化された画像に固有の情報の性質をフルに活用するために、画像分割を行い、その結果、細胞特徴を分析し、比較することができた。細胞内発現を記述する概要統計を抽出するために、ＣｅｌｌＰｒｏｆｉｌｅｒを用いてヘマトキシリン及びｄｓＤＮＡチャネルを腫瘍ごとに分割した（図４Ａ）。平均のピクセル強度を核細胞質内のマーカーごとに定量化し、細胞ＲＯＩを細胞ごとに定量した。２軸散布図は、腫瘍ごとの公知の免疫表現型に一致するマーカー共発現を示す（図４Ｂ）。三重陽性の腫瘍及びＥＲ−ＰＲ二重陽性の腫瘍は、ＨＥＲ２陽性の腫瘍にないＥＲ及びＰＲの核共発現を示す。三重陽性の腫瘍及びＨＥＲ２陽性の腫瘍は、ＥＲ−ＰＲ二重陽性の腫瘍にない細胞質ＨＥＲ２陽性を示す。ケラチン、ｅ−カドヘリン−陽性導管細胞の亜集団は、ビメンチン陽性の間葉細胞から明確に分離されている。
【０１０７】
多次元ＭＩＢＩデータの組織及び免疫表現型の統合された特徴は、定量的（連続的）な細胞質及びカテゴリー（陽性または陰性）の核発現パターン（図５）を組み合わせる合成画像を生成することで視覚化することができる。アクチン（赤色）及びｅ−カドヘリン（緑色）の可変無核発現を示す、上皮分画内のホルモン−レセプター−陽性領域は、アクチン（赤色）及びビメンチン（青色）を共発現している散在した間葉細胞から区別することができる。おおよそ８％の細胞が、Ｋｉ６７陽性のように見える。複数のマーカーの共局在化を検出するのにあまり適していない従来の発色ＩＨＣとは異なり、ＭＩＢＩ分析は、ＥＲ−ＰＲ二重陽性（水色）またはＥＲ−ＰＲ−Ｋｉ６７三重陽性（黄色）の亜集団を容易に示す。この例では、低存在量の増殖性細胞集団が、ＥＲとＰＲを共発現した。特に複数の核抗原発現プロファイルをクエリする場合には、分子表現型の詳細な細胞ごとの分析は、実際の臨床的意義を有することが判明し得、巨大な腫瘍集団よりも治療に異なる応答を有し得る悪性細胞のサブセットを特定すると考えられる。これらの観察は、ＭＩＢＩのような質量分析アプローチの定量的ダイナミックレンジと相まって、潜在的な診断用途に適するものとし、そのような共局在化や相互作用は、今や教師なしの方法で特定することができ得る。
【図１】
2019215349.tif 000007
【図２】
2019215349.tif 000008
【図３】
2019215349.tif 000009
【図４】
2019215349.tif 000010
【図５】
2019215349.tif 000011
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
明細書に記載の発明。